(57)【要約】【課題】マルチメディアデータとともに通信接続要求情報を送信して、送信したマルチメディアデータを着信通知として用いる。【解決手段】本発明に係る通信端末は、通信の接続を要求する接続要求情報を受信する接続要求受信部と、ユーザに対して知覚可能に出力されるマルチメディアデータが、接続要求情報に含まれているか否かを判断するマルチメディアデータ有無判断部と、マルチメディアデータ有無判断部によってマルチメディアデータが含まれていると判断された場合に、接続要求情報に含まれているマルチメディアデータを抽出するマルチメディアデータ抽出部と、マルチメディアデータ抽出部が抽出したマルチメディアデータを出力して、接続要求受信部が接続要求情報を受信したことをユーザに通知する着信通知部とを備える。【選択図】図２
2008118231.tif 000002
【特許請求の範囲】
【請求項１】
通信の接続を要求する接続要求情報を受信する接続要求受信部と、
ユーザに対して知覚可能に出力されるマルチメディアデータが、前記接続要求情報に含まれているか否かを判断するマルチメディアデータ有無判断部と、
前記マルチメディアデータ有無判断部によってマルチメディアデータが含まれていると判断された場合に、前記接続要求情報に含まれているマルチメディアデータを抽出するマルチメディアデータ抽出部と、
前記マルチメディアデータ抽出部が抽出したマルチメディアデータを出力して、前記接続要求受信部が接続要求情報を受信したことをユーザに通知する着信通知部と
を備える通信端末。
【請求項２】
前記接続要求情報は、マルチメディアデータが含まれているか否かを示す有無情報が記録される第１記録領域と、マルチメディアデータが記録される第２記録領域とを含み、
前記通信端末は、
前記接続要求情報における前記第１記録領域の位置を示す第１位置情報、および前記接続要求情報における前記第２記録領域の位置を示す第２位置情報を格納する記録位置格納部
を更に備え、
前記マルチメディアデータ有無判断部は、前記記録位置格納部が格納している前記第１位置情報が示す位置に記録されている有無情報に基づいて、前記接続要求情報に前記マルチメディアデータが含まれているか否かを判断し、
前記マルチメディアデータ抽出部は、前記記録位置格納部が格納している前記第２位置情報が示す位置に記録されているマルチメディアデータを抽出する
請求項１に記載の通信端末。
【請求項３】
前記接続要求受信部が前記接続要求情報を受信した場合に、前記着信通知部が出力する情報を定めるデフォルト出力設定を格納する出力設定格納部
を更に備え、
前記着信通知部は、前記マルチメディアデータ有無判断部によって前記接続要求情報にマルチメディアデータが含まれていると判断された場合に、前記マルチメディアデータ抽出部が抽出したマルチメディアデータを出力し、前記マルチメディアデータ有無判断部によって前記接続要求情報にマルチメディアデータが含まれていないと判断された場合に、前記出力設定格納部が格納しているデフォルト出力設定で定められる情報を出力する
請求項１に記載の通信端末。
【請求項４】
前記接続要求受信部によって受信された前記接続要求情報を送信した他の通信端末を識別する端末識別情報を含む着信記録を、予め定められた着信記録数を限度として格納する着信履歴格納部と、
前記着信履歴格納部が格納している着信記録に対応づけて、前記他の通信端末が送信した前記接続要求情報に含まれていたマルチメディアデータを格納するマルチメディアデータ格納部と、
前記着信履歴格納部が前記予め定められた着信記録数の着信記録を格納している場合であって、前記接続要求受信部が新たに前記接続要求情報を受信した場合に、前記着信履歴格納部が格納している着信記録のうちで、当該着信記録に対応づけられたマルチメディアデータが前記マルチメディアデータ格納部に格納されていない着信記録を消去する着信記録消去部と
を更に備え、
前記着信履歴格納部は、前記着信記録消去部が着信記録を消去した後、前記接続要求受信部によって新たに受信された前記接続要求情報を送信した他の通信端末を識別する端末識別情報を含む着信記録を格納する
請求項１に記載の通信端末。
【請求項５】
前記接続要求受信部が前記接続要求情報を受信したことを前記着信通知部からユーザに通知しないことが当該通信端末において予め設定された、他の通信端末を識別する端末識別情報を格納する禁止端末情報格納部と、
前記接続要求受信部によって受信された前記接続要求情報を送信した他の通信端末を識別する端末識別情報が、前記禁止端末情報格納部に格納されているかを判断する禁止端末判断部と
を更に備え、
前記禁止端末判断部が、前記接続要求受信部によって受信された前記接続要求情報を送信した他の通信端末を識別する端末識別情報が、前記禁止端末情報格納部に格納されていると判断した場合、
前記マルチメディアデータ抽出部は、前記マルチメディアデータ有無判断部によってマルチメディアデータが含まれていると判断された場合であっても、前記接続要求情報に含まれているマルチメディアデータを抽出せず、
前記着信通知部は、前記接続要求受信部が接続要求情報を受信したことをユーザに通知しない
請求項１に記載の通信端末。
【請求項６】
前記接続要求受信部が前記接続要求情報を受信した場合に、前記着信通知部が出力する情報を定めるデフォルト出力設定を格納する出力設定格納部と、
前記接続要求受信部が受信した前記接続要求情報にマルチメディアデータが含まれている場合であっても、前記接続要求受信部が前記接続要求情報を受信したことを、前記出力設定格納部が格納しているデフォルト出力設定で定められる情報を出力することが当該通信端末において予め設定された、他の通信端末を識別する端末識別情報を格納するデフォルト端末情報格納部と、
前記接続要求受信部によって受信された前記接続要求情報を送信した他の通信端末を識別する端末識別情報が、前記デフォルト端末情報格納部に格納されているかを判断するデフォルト端末判断部と
を更に備え、
前記デフォルト端末判断部が、前記接続要求受信部によって受信された前記接続要求情報を送信した他の通信端末を識別する端末識別情報が、前記デフォルト端末情報格納部に格納されていると判断した場合、
前記着信通知部は、前記出力設定格納部が格納しているデフォルト出力設定で定められる情報を出力して、前記接続要求受信部が接続要求情報を受信したことをユーザに通知し、
前記デフォルト端末判断部が、前記接続要求受信部によって受信された前記接続要求情報を送信した他の通信端末を識別する端末識別情報が、前記デフォルト端末情報格納部に格納されていないと判断した場合、
前記着信通知部は、前記マルチメディアデータ抽出部が抽出したマルチメディアデータを出力して、前記接続要求受信部が接続要求情報を受信したことをユーザに通知する
請求項１に記載の通信端末。
【請求項７】
通信相手の他の通信端末との通信の接続を要求する接続要求情報を生成する接続要求生成部と、
前記接続要求生成部が生成した接続要求情報を前記他の通信端末が受信したことを、前記他の通信端末のユーザに通知するために出力されるマルチメディアデータを取得するマルチメディアデータ取得部と、
前記マルチメディアデータ取得部が取得したマルチメディアデータのデータサイズが、予め定められたデータサイズよりも大きい場合に、前記マルチメディアデータ取得部が取得したマルチメディアデータを圧縮して、予め定められた前記データサイズよりもデータサイズが小さい圧縮マルチメディアデータを生成して、前記接続要求情報の記録領域に記録する圧縮マルチメディアデータ記録部と、
前記圧縮マルチメディアデータが記録された前記接続要求情報を前記他の通信端末に送信する接続要求送信部と
を更に備える請求項１に記載の通信端末。
【請求項８】
通信の接続を要求する接続要求情報を受信する接続要求受信段階と、
ユーザに対して知覚可能に出力されるマルチメディアデータが、前記接続要求情報に含まれているか否かを判断するマルチメディアデータ有無判断段階と、
前記マルチメディアデータ有無判断段階においてマルチメディアデータが含まれていると判断された場合に、前記接続要求情報に含まれているマルチメディアデータを抽出するマルチメディアデータ抽出段階と、
前記マルチメディアデータ抽出段階において抽出されたマルチメディアデータを出力して、前記接続要求受信段階において接続要求情報を受信したことをユーザに通知する着信通知段階と
を備える通信方法。
【請求項９】
通信端末用の通信プログラムであって、前記通信端末を、
通信の接続を要求する接続要求情報を受信する接続要求受信部、
ユーザに対して知覚可能に出力されるマルチメディアデータが、前記接続要求情報に含まれているか否かを判断するマルチメディアデータ有無判断部、
前記マルチメディアデータ有無判断部によってマルチメディアデータが含まれていると判断された場合に、前記接続要求情報に含まれているマルチメディアデータを抽出するマルチメディアデータ抽出部、
前記マルチメディアデータ抽出部が抽出したマルチメディアデータを出力して、前記接続要求受信部が接続要求情報を受信したことをユーザに通知する着信通知部
として機能させる通信プログラム。
【発明の詳細な説明】
【技術分野】
【０００１】
本発明は、通信端末、通信方法、および通信プログラムに関する。特に、本発明は、通信相手の他の通信端末と通信する通信端末、通信方法、および通信プログラムに関する。
【背景技術】
【０００２】
特許文献１には、Ｐｕｓｈ−Ｔｏ−Ｔａｌｋ（ＰＴＴ）通信方式による通信を行う通信端末において、音声データとともに高画質な静止画像の画像データを、予め割り当てられた無線通信回線の伝送能力の範囲内で送信することができる通信端末について提案されている。
【特許文献１】特開２００５−１１７１４１号公報
【発明の開示】
【発明が解決しようとする課題】
【０００３】
しかしながら、特許文献１に記載の発明においては、通信の接続を要求する接続要求情報を通信相手の通信端末が受信したことを、当該通信相手の通信端末のユーザに通知するために出力される情報を通信相手の通信端末に通知して、ＰＴＴ通信方式の通信セッションを確立することはできない。
【０００４】
そこで本発明は、上記課題を解決することができる通信端末、通信方法、および通信プログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
上記課題を解決するために、本発明の第１の形態においては、通信端末であって、通信の接続を要求する接続要求情報を受信する接続要求受信部と、ユーザに対して知覚可能に出力されるマルチメディアデータが、接続要求情報に含まれているか否かを判断するマルチメディアデータ有無判断部と、マルチメディアデータ有無判断部によってマルチメディアデータが含まれていると判断された場合に、接続要求情報に含まれているマルチメディアデータを抽出するマルチメディアデータ抽出部と、マルチメディアデータ抽出部が抽出したマルチメディアデータを出力して、接続要求受信部が接続要求情報を受信したことをユーザに通知する着信通知部とを備える。
【０００６】
また、接続要求情報は、マルチメディアデータが含まれているか否かを示す有無情報が記録される第１記録領域と、マルチメディアデータが記録される第２記録領域とを含み、通信端末は、接続要求情報における第１記録領域の位置を示す第１位置情報、および接続要求情報における第２記録領域の位置を示す第２位置情報を格納する記録位置格納部を更に備え、マルチメディアデータ有無判断部は、記録位置格納部が格納している第１位置情報が示す位置に記録されている有無情報に基づいて、接続要求情報にマルチメディアデータが含まれているか否かを判断し、マルチメディアデータ抽出部は、記録位置格納部が格納している第２位置情報が示す位置に記録されているマルチメディアデータを抽出してもよい。
【０００７】
また、本発明の第２の形態においては、通信方法であって、通信の接続を要求する接続要求情報を受信する接続要求受信段階と、ユーザに対して知覚可能に出力されるマルチメディアデータが、接続要求情報に含まれているか否かを判断するマルチメディアデータ有無判断段階と、マルチメディアデータ有無判断段階においてマルチメディアデータが含まれていると判断された場合に、接続要求情報に含まれているマルチメディアデータを抽出するマルチメディアデータ抽出段階と、マルチメディアデータ抽出段階において抽出されたマルチメディアデータを出力して、接続要求受信段階において接続要求情報を受信したことをユーザに通知する着信通知段階とを備える。
【０００８】
また、本発明の第３の形態においては、通信端末用の通信プログラムであって、通信端末を、通信の接続を要求する接続要求情報を受信する接続要求受信部、ユーザに対して知覚可能に出力されるマルチメディアデータが、接続要求情報に含まれているか否かを判断するマルチメディアデータ有無判断部、マルチメディアデータ有無判断部によってマルチメディアデータが含まれていると判断された場合に、接続要求情報に含まれているマルチメディアデータを抽出するマルチメディアデータ抽出部、マルチメディアデータ抽出部が抽出したマルチメディアデータを出力して、接続要求受信部が接続要求情報を受信したことをユーザに通知する着信通知部として機能させる。
【０００９】
なお、上記の発明の概要は、本発明の必要な特徴の全てを列挙したものではなく、これらの特徴群のサブコンビネーションもまた、発明となりうる。
【発明の効果】
【００１０】
本発明によれば、マルチメディアデータとともに通信接続要求情報を通信相手の通信端末に送信して、送信したマルチメディアデータを通信相手の通信端末において着信通知として用いることができる。
【発明を実施するための最良の形態】
【００１１】
以下、発明の実施の形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１２】
図１は、本発明の一実施形態に係る通信端末１０における動作の概要を示す。通信端末１０は、ネットワーク４０を介して通信相手の通信端末１０と通信する。通信端末１０は、ＳＩＰサーバ２２を介して通信相手の通信端末１０に半二重通信の通信接続を要求して、通信相手の通信端末１０と半二重通信の通信セッションを確立する。通信端末１０は、半二重通信の通信セッションが確立した後に、通信相手の通信端末１０と半二重通信の通信を行う。なお、通信端末１０は、他の通信端末１０のユーザのステータスを示すステータス情報を取得して表示する。ここで、通信端末１０のユーザの現在の状態等を示すプレゼンス情報は、ステータス情報の一例である。通信端末１０は、他の通信端末１０のステータス情報を、ネットワーク４０を介してプレゼンスサーバ２４から取得する。
【００１３】
本実施形態に係る通信端末１０は、マルチメディアデータとともに通信接続要求情報を通信相手の通信端末に送信して、送信したマルチメディアデータを通信相手の通信端末において着信通知として用いることを目的とする。
【００１４】
まず、通信端末１０（Ａ）は、通信端末１０（Ｂ）と半二重通信の通信を行う場合に、通信の接続を要求する接続要求情報を、通信端末１０（Ｂ）に対して送信する。接続要求情報は、例えば、ＩＮＶＩＴＥメッセージである。係る場合において、通信端末１０（Ａ）は、ＩＮＶＩＴＥメッセージの予め定められた記憶領域に、通信端末１０（Ｂ）のユーザに通知されるために出力されるマルチメディアデータを記憶させることができる。なお、マルチメディアデータは、画像データ、音声データ、およびテキストデータのうちの少なくとも１つを含む。通信端末１０（Ａ）は、ＩＮＶＩＴＥメッセージにマルチメディアデータを記憶させ、当該ＩＮＶＩＴＥメッセージを通信端末１０（Ｂ）に送信する。
【００１５】
一方、通信端末１０（Ｂ）は、通信相手の通信端末１０（Ａ）からマルチメディアデータが記録されたＩＮＶＩＴＥメッセージを受信した場合に、ＩＮＶＩＴＥメッセージからマルチメディアデータを抽出する。そして、通信端末１０（Ｂ）は、抽出したマルチメディアデータを着信通知としてユーザに通知する。また、通信端末１０（Ｂ）は、抽出したマルチメディアデータとともに、通信端末１０（Ａ）の電話番号を表示する。なお、通信端末１０（Ｂ）は、通信相手の通信端末１０の電話番号に対応づけて、当該通信相手の通信端末１０のユーザの登録名を記録する電話帳を備えていてもよい。係る形態によれば、通信端末１０（Ｂ）は、ＩＮＶＩＴＥメッセージを送信した通信端末１０（Ａ）の電話番号が電話帳に記録されている場合に、マルチメディアデータとともに、通信端末１０（Ａ）のユーザの登録名（例えば、名前、ニックネーム等）を表示できる。
【００１６】
例えば、通信端末１０（Ａ）において、通信端末１０（Ｂ）に送信するＩＮＶＩＴＥメッセージに記録させるマルチメディアデータとして、画像３００をユーザが選択した場合に、通信端末１０（Ａ）は、画像３００をＩＮＶＩＴＥメッセージの予め定められた記録領域に記録する。そして、通信端末１０（Ａ）は、画像３００が記録されたＩＮＶＩＴＥメッセージを通信端末１０（Ｂ）に送信する。続いて、通信端末１０（Ｂ）は、通信端末１０（Ａ）から受信したＩＮＶＩＴＥメッセージに記録されている画像３００を抽出する。そして、通信端末１０（Ｂ）は、例えば、通信端末１０（Ａ）のユーザの登録名を示すテキストデータ３０５とともに、抽出した画像３００を表示部１３２（Ｂ）に表示して、ユーザにＩＮＶＩＴＥメッセージを着信したことを通知する。
【００１７】
その後、通信端末１０（Ｂ）のユーザが通信端末１０（Ａ）から受信したＩＮＶＩＴＥメッセージに対して、半二重通信の通信接続を許可した場合に、例えば、２００ＯＫメッセージが通信端末１０（Ａ）に送信される。そして、通信端末１０（Ａ）は、２００ＯＫメッセージを受信したことを示すＡＣＫメッセージを通信端末１０（Ｂ）に返信する。これにより、通信端末１０（Ａ）と通信端末１０（Ｂ）との間で、ＰＴＴ通信方式の通信セッションが確立される。
【００１８】
なお、通信端末１０（Ａ）は、通信相手の通信端末１０を選択するたびに、選択した通信相手の通信端末１０のユーザに通知するために出力されるマルチメディアデータを選択してよい。また、通信端末１０（Ａ）は、通信相手の通信端末１０を識別する端末識別情報に対応づけて、予め当該端末識別情報で識別される通信端末１０に送信するＩＮＶＩＴＥメッセージに記憶させるマルチメディアデータを設定していてもよい。更に、通信端末１０（Ａ）は、通信相手の複数の通信端末１０を識別する端末識別情報を所定のグループごとに分類して、所定のグループごとに、当該グループに含まれる端末識別情報で識別される通信端末１０に送信するＩＮＶＩＴＥメッセージに記憶させるマルチメディアデータを設定していてもよい。
【００１９】
図２は、本実施形態に係る通信端末１０の機能構成の一例を示す。また、図３は、本実施形態に係る通知判断ユニット１４０の機能構成の一例を示す。通信端末１０は、音声データの半二重通信を行う通信端末１０である。通信端末１０は、例えば、携帯電話端末である。なお、通信端末１０は、通信機能を有したノートパソコン、ＰＤＡ、およびゲーム機等の情報端末、並びに通信機能を有したデスクトップ型ＰＣであってもよい。また、本実施形態に係るマルチメディアデータは、画像データ（例えば、ＪＰＥＧ、ＰＮＧ、ＧＩＦ、Ａｎｉｍａｔｅｄ  ＧＩＦ等のファイルタイプの画像データ）、音声データ（例えば、ＡＭＲ、ＳＭＡＦ、ＳＭＦ、ＳＰ−ＭＩＤＩ、ＭｏｂｉｌｅＸＭＦ等のファイルタイプの音声データ）、およびテキストデータである。
【００２０】
通信端末１０は、接続要求受信部１００、接続要求送信部１０２、マルチメディアデータ有無判断部１１０、記録位置格納部１１２、マルチメディアデータ抽出部１２０、着信通知部１３０、通知制御部１３５、出力設定格納部１３７、通知判断ユニット１４０、マルチメディアデータ格納部１５０、着信履歴格納部１６０、着信記録消去部１６２、履歴選択部１６４、マルチメディアデータ取得部１７０、マルチメディアデータ編集部１７２、圧縮マルチメディアデータ記録部１７４、および接続要求生成部１８０を備える。また、着信通知部１３０は、表示部１３２および音出力部１３４を有する。更に、通知判断ユニット１４０は、禁止端末判断部１４２、禁止端末情報格納部１４４、デフォルト端末判断部１４６、およびデフォルト端末情報格納部１４８を有する。
【００２１】
接続要求受信部１００は、通信の接続を要求する接続要求情報を受信する。接続要求情報は、マルチメディアデータが含まれているか否かを示す有無情報が記録される第１記録領域と、マルチメディアデータが記録される第２記録領域とを含む。そして、第１記録領域には、画像データが含まれているか否かを示す有無情報、音声データが含まれているか否かを示す有無情報、およびテキストデータが含まれているか否かを示す有無情報が記録される。また、第２記録領域には、画像データ、音声データ、およびテキストデータの少なくとも１つ、またはこれらのうちから選択された少なくとも２つの組み合わせであるマルチメディアデータが記録される。
【００２２】
例えば、接続要求情報は、少なくともＳＩＰプロトコルのパラメータ、ＳＤＰプロトコルのパラメータ、およびマルチメディアデータを記録する領域を含む、ＩＮＶＩＴＥメッセージである。そして、第１記録領域は、ＳＩＰプロトコルのパラメータ内に含まれる、マルチメディアデータがＩＮＶＩＴＥメッセージに含まれているか否かが記載されるＡｃｃｅｐｔ  ｃｏｎｔａｃｔ、およびマルチメディアデータの種類が記載されるＣｏｎｔｅｎｔ−Ｔｙｐｅを含む領域である。また、第２記録領域は、マルチメディアデータを記録する領域である。接続要求受信部１００は、接続要求情報をマルチメディアデータ抽出部１２０に供給する。また、接続要求受信部１００は、接続要求情報を送信した通信相手の通信端末１０を識別する端末識別情報を通知判断ユニット１４０および着信履歴格納部１６０に供給する。更に、接続要求受信部１００は、接続要求情報を受信したことを示す情報を着信記録消去部１６２に供給する。
【００２３】
記録位置格納部１１２は、接続要求情報における第１記録領域の位置を示す第１位置情報、および接続要求情報における第２記録領域の位置を示す第２位置情報を格納する。記録位置格納部１１２は、第１位置情報および第２位置情報をマルチメディアデータ有無判断部１１０に供給する。マルチメディアデータ有無判断部１１０は、通信端末１０のユーザに対して知覚可能に出力されるマルチメディアデータが、接続要求情報に含まれているか否かを判断する。
【００２４】
具体的には、マルチメディアデータ有無判断部１１０は、記録位置格納部１１２が格納している第１位置情報が示す位置に記録されている有無情報に基づいて、接続要求情報にマルチメディアデータが含まれているか否かを判断する。なお、マルチメディアデータ有無判断部１１０は、第１記録領域に含まれる、画像データ、音声データ、およびテキストデータの有無情報に基づいて、接続要求情報に画像データ、音声データ、およびテキストデータのそれぞれが含まれているか否かを判断してもよい。すなわち、マルチメディアデータ有無判断部１１０は、第１記録領域のＡｃｃｅｐｔ  ｃｏｎｔａｃｔを参照して接続要求情報にマルチメディアデータが含まれるか否かを判断して、第１記録領域のＣｏｎｔｅｎｔ−Ｔｙｐｅを参照してマルチメディアデータの種類を判断する。マルチメディアデータ有無判断部１１０は、判断結果を示す情報をマルチメディアデータ抽出部１２０に供給する。
【００２５】
マルチメディアデータ抽出部１２０は、マルチメディアデータ有無判断部１１０によってマルチメディアデータが含まれていると判断された場合に、接続要求情報に含まれているマルチメディアデータを抽出する。具体的には、マルチメディアデータ抽出部１２０は、マルチメディアデータ有無判断部１１０から受け取った判断結果を示す情報が、接続要求受信部１００から受け取った接続要求情報にマルチメディアデータが含まれていることを示す場合に、記録位置格納部１１２が格納している第２位置情報が示す位置に記録されているマルチメディアデータを抽出する。
【００２６】
また、マルチメディアデータ抽出部１２０は、通知判断ユニット１４０に制御され、マルチメディアデータを抽出しない場合もあるが、係る形態については後述する。なお、マルチメディアデータ抽出部１２０は、マルチメディアデータ有無判断部１１０から受け取った判断結果が、接続要求情報に画像データ、音声データ、およびテキストデータの少なくとも１つが含まれていることを示す場合に、第２記録領域から画像データ、音声データ、およびテキストデータを抽出する。マルチメディアデータ抽出部１２０は、抽出したマルチメディアデータを通知制御部１３５に供給する。
【００２７】
出力設定格納部１３７は、接続要求受信部１００が接続要求情報を受信した場合に、着信通知部１３０が出力する情報を定めるデフォルト出力設定を格納する。具体的には、出力設定格納部１３７は、接続要求情報にマルチメディアデータが含まれていない場合に、通信相手の通信端末１０を識別する端末識別情報（例えば、電話番号）を着信通知部１３０から出力することを設定したデフォルト出力設定を格納する。また、出力設定格納部１３７は、接続要求情報にマルチメディアデータが含まれていない場合に、予め定められた画像、および／または音を着信通知部１３０から出力することを設定したデフォルト出力設定を格納してもよい。更に、出力設定格納部１３７は、接続要求情報にマルチメディアデータが含まれていない場合に、着信通知部１３０から出力する情報（例えば、端末識別情報、画像、および／または音）が、ユーザの指示に応じて設定されたデフォルト出力設定を格納してもよい。出力設定格納部１３７は、通知制御部１３５に制御され、デフォルト出力設定を通知制御部１３５に供給する。
【００２８】
通知制御部１３５は、着信通知部１３０を制御して、通信相手の通信端末１０から接続要求情報を受信したことを、着信通知部１３０からユーザに通知する。また、通知制御部１３５は、通知判断ユニット１４０の判断結果に応じて、通信相手の通信端末１０から接続要求情報を受信したことをユーザに着信通知部１３０から通知するか、または通知させない場合もあるが、係る形態については後述する。着信通知部１３０は、通知制御部１３５からマルチメディアデータ抽出部１２０が抽出したマルチメディアデータを受け取って、当該マルチメディアデータを出力する。そして、着信通知部１３０は、接続要求受信部１００が接続要求情報を受信したことをユーザに通知する。
【００２９】
より具体的には、着信通知部１３０は、マルチメディアデータ有無判断部１１０によって接続要求情報にマルチメディアデータが含まれていると判断された場合に、マルチメディアデータ抽出部１２０が抽出したマルチメディアデータを出力する。また、着信通知部１３０は、マルチメディアデータ有無判断部１１０によって接続要求情報にマルチメディアデータが含まれていないと判断された場合に、出力設定格納部１３７が格納しているデフォルト出力設定で定められる情報を出力する。例えば、着信通知部１３０は、マルチメディアデータが、画像データおよび／またはテキストデータである場合に、当該画像データおよび／またはテキストデータを表示部１３２に表示して、接続要求受信部１００が接続要求情報を受信したことをユーザに通知する。また、着信通知部１３０は、マルチメディアデータが、音声データである場合に、当該音声データを音出力部１３４に出力して、接続要求受信部１００が接続要求情報を受信したことをユーザに通知する。
【００３０】
着信履歴格納部１６０は、接続要求受信部１００によって受信された接続要求情報を送信した他の通信端末１０を識別する端末識別情報を含む着信記録を、予め定められた着信記録数を限度として格納する。具体的には、着信履歴格納部１６０は、接続要求受信部１００が接続要求情報を受信した場合に、当該接続要求情報を解析して、当該接続要求情報を送信した通信端末１０を識別する端末識別情報を含む着信記録を格納する。そして、マルチメディアデータ格納部１５０は、着信履歴格納部１６０が格納している着信記録に対応づけて、他の通信端末１０が送信した接続要求情報に含まれていたマルチメディアデータを格納する。例えば、マルチメディアデータ格納部１５０は、着信履歴格納部１６０が着信記録を格納するとともに、接続要求情報に含まれていたマルチメディアデータであって、マルチメディアデータ抽出部１２０が抽出したマルチメディアデータを、着信履歴格納部１６０が格納している着信記録に対応づけて暫定的に格納する。
【００３１】
着信記録消去部１６２は、着信履歴格納部１６０が予め定められた着信記録数の着信記録を格納している場合であって、接続要求受信部１００が新たに接続要求情報を受信した場合に、着信履歴格納部１６０が格納している着信記録のうちで、当該着信記録に対応づけられたマルチメディアデータがマルチメディアデータ格納部１５０に格納されていない着信記録を消去する。そして、着信履歴格納部１６０は、着信記録消去部１６２が着信記録を消去した後、接続要求受信部１００によって新たに受信された接続要求情報を送信した他の通信端末１０を識別する端末識別情報を含む着信記録を格納する。更に、着信記録消去部１６２が着信履歴格納部１６０が格納している着信記録を消去した場合、着信記録消去部１６２は、消去した着信記録に対応づけてマルチメディアデータ格納部１５０が格納しているマルチメディアデータも消去する。なお、着信記録消去部１６２は、ユーザが決定した優先順位に応じて、着信記録を消去してもよい。
【００３２】
例えば、着信記録消去部１６２は、接続要求受信部１００が新たに接続要求情報を受信した場合に、ユーザの指示に応じて、着信履歴格納部１６０が格納している着信記録のうちで、当該着信記録に対応づけられたマルチメディアデータがマルチメディアデータ格納部１５０に格納されている着信記録を消去してもよい。また、着信記録消去部１６２は、着信履歴格納部１６０が格納している着信記録のうちで、ユーザが指示した当該着信記録に対応づけられたマルチメディアデータのデータの種類に応じて、着信記録を消去してもよい。例えば、着信記録消去部１６２は、着信記録に対応づけられたマルチメディアデータのユーザが設定した優先順位（例えば、画像データ、音声データ、テキストデータの順に着信記録を消去する優先順位が高くなるべく設定する）に応じて、着信記録を消去してもよい。
【００３３】
更に、履歴選択部１６４は、着信履歴格納部１６０が格納している着信記録のうち、ユーザが所望する着信記録をユーザに選択させる。マルチメディアデータ格納部１５０は、履歴選択部１６４がユーザに選択させた着信記録に対応するマルチメディアデータを、着信履歴とは対応づけずに格納する。すなわち、マルチメディアデータ格納部１５０は、履歴選択部１６４がユーザに選択させた着信記録と、当該着信記録に対応するマルチメディアデータとの間の対応づけを解消する。これにより、着信記録消去部１６２が着信履歴格納部１６０が格納している着信履歴を消去した場合であっても、接続要求受信部１００が受信した接続要求情報に含まれるマルチメディアデータをマルチメディアデータ格納部１５０は格納したままなので、通信端末１０のユーザは、当該マルチメディアデータを所望の時に自由に利用できる。
【００３４】
通知判断ユニット１４０が有する禁止端末情報格納部１４４は、接続要求受信部１００が接続要求情報を受信したことを着信通知部１３０からユーザに通知しないことが当該通信端末１０において予め設定された、他の通信端末１０を識別する端末識別情報を格納する。禁止端末情報格納部１４４は、接続要求受信部１００が接続要求情報を受信したことを着信通知部１３０からユーザに通知しないことが、通信端末１０のユーザによって設定された、他の通信端末１０を識別する端末識別情報を格納する。禁止端末判断部１４２は、接続要求受信部１００によって受信された接続要求情報を送信した他の通信端末１０を識別する端末識別情報が、禁止端末情報格納部１４４に格納されているかを判断する。禁止端末判断部１４２は、判断結果をマルチメディアデータ抽出部１２０および通知制御部１３５に供給する。
【００３５】
そして、禁止端末判断部１４２が、接続要求受信部１００によって受信された接続要求情報を送信した他の通信端末１０を識別する端末識別情報が、禁止端末情報格納部１４４に格納されていると判断した場合、マルチメディアデータ抽出部１２０は、マルチメディアデータ有無判断部１１０によってマルチメディアデータが含まれていると判断された場合であっても、接続要求情報に含まれているマルチメディアデータを抽出しない。更に、着信通知部１３０は、通知制御部１３５に制御されて、接続要求受信部１００が接続要求情報を受信したことをユーザに通知しない。ただし、係る場合においても、着信履歴格納部１６０は着信記録を格納する。
【００３６】
デフォルト端末情報格納部１４８は、接続要求受信部１００が受信した接続要求情報にマルチメディアデータが含まれている場合であっても、接続要求受信部１００が接続要求情報を受信したことを、出力設定格納部１３７が格納しているデフォルト出力設定で定められる情報を出力することが当該通信端末１０において予め設定された、他の通信端末１０を識別する端末識別情報を格納する。デフォルト端末判断部１４６は、接続要求受信部１００によって受信された接続要求情報を送信した他の通信端末１０を識別する端末識別情報が、デフォルト端末情報格納部１４８に格納されているかを判断する。
【００３７】
そして、デフォルト端末判断部１４６が、接続要求受信部１００によって受信された接続要求情報を送信した他の通信端末１０を識別する端末識別情報が、デフォルト端末情報格納部１４８に格納されていると判断した場合、着信通知部１３０は、出力設定格納部１３７が格納しているデフォルト出力設定で定められる情報を出力して、接続要求受信部１００が接続要求情報を受信したことをユーザに通知する。更に、デフォルト端末判断部１４６が、接続要求受信部１００によって受信された接続要求情報を送信した他の通信端末１０を識別する端末識別情報が、デフォルト端末情報格納部１４８に格納されていないと判断した場合、着信通知部１３０は、マルチメディアデータ抽出部１２０が抽出したマルチメディアデータを出力して、接続要求受信部１００が接続要求情報を受信したことをユーザに通知する。
【００３８】
接続要求生成部１８０は、通信相手の他の通信端末１０との通信の接続を要求する接続要求情報を生成する。具体的には、接続要求生成部１８０は、通信端末１０のユーザが選択した通信相手の通信端末１０に対して、半二重通信の通信接続を要求する接続要求情報、例えば、ＩＮＶＩＴＥメッセージを生成する。接続要求生成部１８０は、生成した接続要求情報を接続要求送信部１０２に供給する。マルチメディアデータ取得部１７０は、接続要求生成部１８０が生成した接続要求情報を他の通信端末１０が受信したことを、他の通信端末１０のユーザに通知するために出力されるマルチメディアデータを取得する。
【００３９】
具体的には、マルチメディアデータ取得部１７０は、マルチメディアデータ格納部１５０が格納しているマルチメディアデータのうち、ユーザが選択したマルチメディアデータを取得する。また、マルチメディアデータ取得部１７０は、通信端末１０の外部からマルチメディアデータを取得してもよい。例えば、マルチメディアデータ取得部１７０は、インターネット等のネットワーク４０を介して、通信端末１０の外部からマルチメディアデータを取得してよく、通信端末１０が撮像部を備える場合には、撮像部が取得した画像を示す画像データを、マルチメディアデータとして取得してもよい。マルチメディアデータ取得部１７０は、取得したマルチメディアデータをマルチメディアデータ編集部１７２に供給する。
【００４０】
マルチメディアデータ編集部１７２は、マルチメディアデータ取得部１７０から受け取ったマルチメディアデータが、複数のマルチメディアデータを含む場合に、ユーザの指示に応じて各々のマルチメディアデータに分離する。例えば、マルチメディアデータ編集部１７２は、マルチメディアデータ取得部１７０が取得したマルチメディアデータが、画像データおよび音声データを含む場合には、当該マルチメディアデータを、画像データと音声データとに分離する。なお、マルチメディアデータ編集部１７２は、ユーザの指示がない場合には、マルチメディアデータ取得部１７０から受け取ったマルチメディアデータに対して、何ら処理を施さなくてもよい。
【００４１】
また、マルチメディアデータ編集部１７２は、少なくとも２つのマルチメディアデータを１つのマルチメディアデータに統合してもよい。例えば、マルチメディアデータ取得部１７０から画像データと音声データとをそれぞれ取得した場合に、マルチメディアデータ編集部１７２は、当該画像データと当該音声データとを統合して１つのマルチメディアデータを生成する。マルチメディアデータ編集部１７２は、編集後のマルチメディアデータ、または編集をしていないマルチメディアデータを圧縮マルチメディアデータ記録部１７４に供給する。
【００４２】
圧縮マルチメディアデータ記録部１７４は、マルチメディアデータ取得部１７０が取得したマルチメディアデータのデータサイズが、予め定められたデータサイズよりも大きい場合に、マルチメディアデータ取得部１７０が取得したマルチメディアデータを圧縮して、予め定められたデータサイズよりもデータサイズが小さい圧縮マルチメディアデータを生成する。また、圧縮マルチメディアデータ記録部１７４は、マルチメディアデータ編集部１７２から受け取ったマルチメディアデータのデータサイズが、予め定められたデータサイズよりも大きい場合に、マルチメディアデータ編集部１７２から受け取ったマルチメディアデータを圧縮して、予め定められたデータサイズよりもデータサイズが小さい圧縮マルチメディアデータを生成する。
【００４３】
例えば、圧縮マルチメディアデータ記録部１７４は、マルチメディアデータが画像データである場合には、トリミング等の画像処理、または、画素数を間引く画像処理を画像データに施すことによってデータサイズを圧縮する。また、圧縮マルチメディアデータ記録部１７４は、マルチメディアデータが音声データである場合には、例えば、人間の可聴域を超える高音域を間引くことによって、データサイズを圧縮する。そして、圧縮マルチメディアデータ記録部１７４は、接続要求情報の記録領域に圧縮マルチメディアデータを記録する。
【００４４】
接続要求送信部１０２は、圧縮マルチメディアデータが記録された接続要求情報を他の通信端末１０に送信する。なお、圧縮マルチメディアデータ記録部１７４が接続要求情報の記録領域に記録するマルチメディアデータの構成は、画像データ、音声データ、およびテキストデータのいずれか１つを少なくとも含む構成、またはこれらから少なくとも２つを組み合わせた構成であってよい。例えば、マルチメディアデータの構成は、画像データ単独、若しくは音声データ単独、若しくはテキストデータ単独、若しくはテキストデータおよび音声データ、若しくはテキストデータおよび画像データ、若しくは音声データおよび画像データ、またはテキストデータ並びに音声データおよび画像データであってよい。
【００４５】
本実施形態に係る通信端末１０によれば、マルチメディアデータとともに通信接続要求情報を通信相手の通信端末１０に送信して、送信したマルチメディアデータを通信相手の通信端末１０において着信通知として用いることができる。更に、本実施形態に係る通信端末１０によれば、通信接続要求情報に様々な種類のマルチメディアデータを記録させることができるので、通信端末１０のユーザの個性に応じた多種多様な着信通知を、通信相手の通信端末１０において用いさせることができる。
【００４６】
図４は、本実施形態に係る通信端末１０における処理の流れの一例を示す。通信端末１０（Ａ）においてＰＴＴ通信による通信の開始をする場合、通信端末１０（Ａ）の接続要求送信部１０２は、ＩＮＶＩＴＥメッセージを通信相手の通信端末１０（Ｂ）に送信する（Ｓ４００）。係る場合において、接続要求送信部１０２は、マルチメディアデータが記録されたＩＮＶＩＴＥメッセージを通信端末１０（Ｂ）に送信する。通信端末１０（Ｂ）は、ＩＮＶＩＴＥメッセージを受信したタイミングで着信音を出力する（Ｓ４０５）。
【００４７】
具体的には、通信端末１０（Ｂ）のマルチメディアデータ抽出部１２０は、ＩＮＶＩＴＥメッセージが記録しているマルチメディアデータを抽出する。そして、通信端末１０（Ｂ）の着信通知部１３０は、マルチメディアデータ抽出部１２０が抽出したマルチメディアデータを、通信端末１０（Ｂ）のユーザに着信通知として通知する。通信端末１０（Ｂ）のユーザが当該ＩＮＶＩＴＥメッセージに応答すると、通信端末１０（Ｂ）は、２００ＯＫメッセージを通信端末１０（Ａ）に送信する（Ｓ４１０）。そして、通信端末１０（Ａ）は、当該２００ＯＫメッセージを受信すると、ＡＣＫメッセージを通信端末１０（Ｂ）に送信する（Ｓ４１５）。これにより、通信端末１０（Ａ）と通信端末１０（Ｂ）との間でＰＴＴ通信の通信セッションが確立する。
【００４８】
図５は、本実施形態に係る通信端末１０における処理の流れの一例を示す。通信端末１０が通信相手の通信端末１０にＩＮＶＩＴＥメッセージ（インバイトメッセージ）を送信する場合に、マルチメディアデータ取得部１７０は、当該ＩＮＶＩＴＥメッセージに記録するマルチメディアデータをユーザに選択させて取得する（Ｓ５００）。そして、マルチメディアデータ取得部１７０が取得したマルチメディアデータのデータサイズが、予め定められたデータサイズより大きい場合に（Ｓ５０５：Ｙｅｓ）、圧縮マルチメディアデータ記録部１７４は、マルチメディアデータのデータサイズを予め定められたデータサイズよりもデータサイズが小さい圧縮マルチメディアデータを生成する（Ｓ５１０）。そして、圧縮マルチメディアデータ記録部１７４は、生成した圧縮マルチメディアデータをＩＮＶＩＴＥメッセージに記録することにより、圧縮マルチメディアデータをＩＮＶＩＴＥメッセージに包含させる（Ｓ５１５）。
【００４９】
一方、マルチメディアデータ取得部１７０が取得したマルチメディアデータのデータサイズが、予め定められたデータサイズより小さい場合には（Ｓ５０５：Ｎｏ）、圧縮マルチメディアデータ記録部１７４は、マルチメディアデータのデータサイズを変更することなしに、当該マルチメディアデータをＩＮＶＩＴＥメッセージに記録することにより、マルチメディアデータをＩＮＶＩＴＥメッセージに包含させる（Ｓ５１５）。そして、接続要求送信部１０２は、ＩＮＶＩＴＥメッセージを通信相手の通信端末１０に送信する（Ｓ５２０）。
【００５０】
図６は、本実施形態に係る通信端末１０における処理の流れの一例を示す。まず、接続要求受信部１００が、通信相手の通信端末１０が送信したＩＮＶＩＴＥメッセージを受信する（Ｓ６００）。ここで、禁止端末判断部１４２は、通信相手の通信端末１０からの当該ＩＮＶＩＴＥメッセージを受信した場合に、着信通知しないことが設定されているかどうかを判断する（Ｓ６０５）。具体的には、禁止端末判断部１４２は、通信相手の通信端末１０を識別する端末識別情報が禁止端末情報格納部１４４に格納されているか否かを判断する。禁止端末判断部１４２が、通信相手の通信端末１０の端末識別情報が禁止端末情報格納部１４４に格納されていると判断した場合（Ｓ６０５：Ｙｅｓ）、着信通知部１３０は着信通知をしない（Ｓ６３５）。ただし、着信履歴格納部１６０は、当該通信相手の通信端末１０からの着信記録を格納する（Ｓ６４０）。
【００５１】
一方、禁止端末判断部１４２が、通信相手の通信端末１０の端末識別情報が禁止端末情報格納部１４４に格納されていないと判断した場合（Ｓ６０５：Ｎｏ）、デフォルト端末判断部１４６は、当該通信相手の通信端末１０が、デフォルト設定で着信通知する通信端末１０であるかどうかを判断する（Ｓ６１０）。デフォルト端末判断部１４６が、当該通信相手の通信端末１０が、デフォルト設定で着信通知する通信端末１０であると判断した場合（Ｓ６１０：Ｙｅｓ）、着信通知部１３０は、出力設定格納部１３７が格納しているデフォルト設定で定められる着信通知をする（Ｓ６３０）。そして、着信履歴格納部１６０は着信記録を格納する。
【００５２】
また、デフォルト端末判断部１４６が、当該通信相手の通信端末１０が、デフォルト設定で着信通知する通信端末１０ではないと判断した場合（Ｓ６１０：Ｎｏ）、マルチメディアデータ有無判断部１１０は、ＩＮＶＩＴＥメッセージの予め定められた記録領域にマルチメディアデータが記録されているかどうかを判断する（Ｓ６１５）。マルチメディアデータ有無判断部１１０が、ＩＮＶＩＴＥメッセージにマルチメディアデータが含まれていると判断した場合（Ｓ６１５：Ｙｅｓ）、マルチメディアデータ抽出部１２０は、ＩＮＶＩＴＥメッセージに記録されているマルチメディアデータを抽出する（Ｓ６２０）。
【００５３】
続いて、着信通知部１３０は、抽出されたマルチメディアデータを用いて着信通知する（Ｓ６２５）。そして、着信履歴格納部１６０は、着信記録を格納する。一方、マルチメディアデータ有無判断部１１０が、ＩＮＶＩＴＥメッセージにマルチメディアデータが含まれていないと判断した場合（Ｓ６１５：Ｎｏ）、着信通知部１３０は、出力設定格納部１３７が格納しているデフォルト設定で定められる着信通知をする（Ｓ６３０）。そして、着信履歴格納部１６０は着信記録を格納する。
【００５４】
図７は、本実施形態に係る通信端末１０のハードウェア構成の一例を示す。本実施形態に係る通信端末１０は、ホスト・コントローラ１５８２により相互に接続されるＣＰＵ１５０５、ＲＡＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。
【００５５】
ホスト・コントローラ１５８２は、ＲＡＭ１５２０と、高い転送レートでＲＡＭ１５２０をアクセスするＣＰＵ１５０５およびグラフィック・コントローラ１５７５とを接続する。ＣＰＵ１５０５は、ＲＯＭ１５１０およびＲＡＭ１５２０に格納されたプログラムに基づいて動作して、各部を制御する。グラフィック・コントローラ１５７５は、ＣＰＵ１５０５等がＲＡＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【００５６】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、通信端末１０内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＡＭ１５２０を介してハードディスクドライブ１５４０に提供する。なお、通信端末１０は、ハードディスクドライブ１５４０、ＣＤ−ＲＯＭドライブ１５６０、およびフレキシブルディスク・ドライブ１５５０の代わりに、半導体メモリ読取部を備えていてもよい。通信端末１０が半導体メモリ読取部を備えている場合には、通信端末１０内のＣＰＵ１５０５が使用するプログラムおよびデータを格納する半導体メモリから、当該プログラムまたは当該データを読み取ってよい。
【００５７】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、通信端末１０が起動時に実行するブート・プログラム、通信端末１０のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【００５８】
ＲＡＭ１５２０を介してハードディスクドライブ１５４０に提供される通信プログラムは、フレキシブルディスク１５９０、ＣＤ−ＲＯＭ１５９５、またはＩＣカード等の記録媒体に格納されて利用者によって提供される。通信プログラムは、記録媒体から読み出され、ＲＡＭ１５２０を介して通信端末１０内のハードディスクドライブ１５４０にインストールされ、ＣＰＵ１５０５において実行される。通信端末１０にインストールされて実行される通信プログラムは、ＣＰＵ１５０５等に働きかけて、通信端末１０を、図１から図６にかけて説明した接続要求受信部１００、接続要求送信部１０２、マルチメディアデータ有無判断部１１０、記録位置格納部１１２、マルチメディアデータ抽出部１２０、着信通知部１３０、通知制御部１３５、出力設定格納部１３７、通知判断ユニット１４０、マルチメディアデータ格納部１５０、着信履歴格納部１６０、着信記録消去部１６２、履歴選択部１６４、マルチメディアデータ取得部１７０、マルチメディアデータ編集部１７２、圧縮マルチメディアデータ記録部１７４、および接続要求生成部１８０として機能させる。
【００５９】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【００６０】
【図１】通信端末１０における動作の概念図である。
【図２】通信端末１０の機能構成を示すブロック図である。
【図３】通知判断ユニット１４０の機能構成を示すブロック図である。
【図４】通信端末１０における処理の流れを示すシーケンス図である。
【図５】通信端末１０における処理の流れを示すフローチャートである。
【図６】通信端末１０における処理の流れを示すフローチャートである。
【図７】通信端末１０のハードウェア構成を示すブロック図である。
【符号の説明】
【００６１】
１０  通信端末
２２  ＳＩＰサーバ
２４  プレゼンスサーバ
４０  ネットワーク
１００  接続要求受信部
１０２  接続要求送信部
１１０  マルチメディアデータ有無判断部
１１２  記録位置格納部
１２０  マルチメディアデータ抽出部
１３０  着信通知部
１３２  表示部
１３４  音出力部
１３５  通知制御部
１３７  出力設定格納部
１４０  通知判断ユニット
１４２  禁止端末判断部
１４４  禁止端末情報格納部
１４６  デフォルト端末判断部
１４８  デフォルト端末情報格納部
１５０  マルチメディアデータ格納部
１６０  着信履歴格納部
１６２  着信記録消去部
１６４  履歴選択部
１７０  マルチメディアデータ取得部
１７２  マルチメディアデータ編集部
１７４  圧縮マルチメディアデータ記録部
１８０  接続要求生成部
３００  画像
３０５  テキストデータ
１５０５  ＣＰＵ
１５１０  ＲＯＭ
１５２０  ＲＡＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
【図１】
2008118231.tif 000003
【図２】
2008118231.tif 000004
【図３】
2008118231.tif 000005
【図４】
2008118231.tif 000006
【図５】
2008118231.tif 000007
【図６】
2008118231.tif 000008
【図７】
2008118231.tif 000009